(57)【要約】      （修正有）【課題】ユーザが所望のコンテンツを容易に探し出すことできる技術を提供する。【解決手段】情報処理装置１００は、記憶部が記憶する複数のコンテンツのうちの１つ以上のコンテンツの集まりであるコンテンツ集合に関連した指定情報を取得する取得手段と、複数のコンテンツのいずれかを選択する選択手段と、取得手段により指定情報が取得されていない場合に、複数のコンテンツのそれぞれを選択対象とする第１の方法が採用され、取得手段により指定情報が取得されている場合に、コンテンツ集合に含まれているコンテンツを選択対象とし、かつ、コンテンツ集合に含まれていないコンテンツを選択対象としない第２の方法が採用されるように、選択手段による選択方法を切り替える切替手段と、を有する。【選択図】図１
2017073685.tif 000002
【特許請求の範囲】
【請求項１】
記憶部が記憶する複数のコンテンツのうちの１つ以上のコンテンツの集まりであるコンテンツ集合に関連した指定情報を取得する取得手段と、
前記複数のコンテンツのいずれかを選択する選択手段と、
前記取得手段により前記指定情報が取得されていない場合に、前記複数のコンテンツのそれぞれを選択対象とする第１の方法が採用され、前記取得手段により前記指定情報が取得されている場合に、前記コンテンツ集合に含まれているコンテンツを選択対象とし、かつ、前記コンテンツ集合に含まれていないコンテンツを選択対象としない第２の方法が採用されるように、前記選択手段による選択方法を切り替える切替手段と、
を有することを特徴とする情報処理装置。
【請求項２】
前記取得手段は、近接無線通信により前記指定情報を取得する
ことを特徴とする請求項１に記載の情報処理装置。
【請求項３】
前記指定情報を取得する処理は、前記指定情報を記憶する非接触型ＩＣタグから、前記指定情報を読み出す処理である
ことを特徴とする請求項２に記載の情報処理装置。
【請求項４】
前記第２の方法が採用されている場合に、前記切替手段は、前記近接無線通信が行われなくなったことに応じて、前記第２の方法から前記第１の方法に前記選択方法を切り替える
ことを特徴とする請求項２または３に記載の情報処理装置。
【請求項５】
前記第２の方法が採用されている場合に、前記切替手段は、前記第２の方法を解除するユーザ操作に応じて、前記第２の方法から前記第１の方法に前記選択方法を切り替える
ことを特徴とする請求項１〜４のいずれか１項に記載の情報処理装置。
【請求項６】
前記指定情報は、前記コンテンツ集合を少なくとも示す情報である
ことを特徴とする請求項１〜５のいずれか１項に記載の情報処理装置。
【請求項７】
前記指定情報は、前記コンテンツ集合に含まれているコンテンツを少なくとも示す情報である
ことを特徴とする請求項１〜６のいずれか１項に記載の情報処理装置。
【請求項８】
前記第２の方法では、複数のコンテンツ集合に関連した複数の指定情報が前記取得手段により取得されている場合に、前記複数のコンテンツ集合の全てに含まれているコンテンツが選択対象とされ、かつ、それ以外のコンテンツが選択対象とされない
ことを特徴とする請求項１〜７のいずれか１項に記載の情報処理装置。
【請求項９】
前記第２の方法では、複数のコンテンツ集合に関連した複数の指定情報が前記取得手段により取得されている場合に、前記複数のコンテンツ集合の少なくともいずれかに含まれているコンテンツが選択対象とされ、かつ、それ以外のコンテンツが選択対象とされないことを特徴とする請求項１〜７のいずれか１項に記載の情報処理装置。
【請求項１０】
前記選択対象とされたコンテンツを少なくとも含む１つ以上のコンテンツのリストの表示を表示部に行わせる表示制御を行う制御手段をさらに有し、
前記選択手段は、表示された前記リストを用いたユーザ操作に応じて、前記選択対象とされたコンテンツを選択する
ことを特徴とする請求項１〜９のいずれか１項に記載の情報処理装置。
【請求項１１】
前記表示制御において、前記選択対象とされたコンテンツが削除されているかを少なくとも示す情報が前記表示部にさらに表示される
ことを特徴とする請求項１０に記載の情報処理装置。
【請求項１２】
前記コンテンツは撮影画像であり、
前記コンテンツ集合は、フォトブックに含まれた撮影画像の集まりである
ことを特徴とする請求項１〜１１のいずれか１項に記載の情報処理装置。
【請求項１３】
記憶部が記憶する複数のコンテンツのうちの１つ以上のコンテンツの集まりであるコンテンツ集合に関連した指定情報を取得する取得ステップと、
前記複数のコンテンツのいずれかを選択する選択ステップと、
前記取得ステップにより前記指定情報が取得されていない場合に、前記複数のコンテンツのそれぞれを選択対象とする第１の方法が採用され、前記取得ステップにより前記指定情報が取得されている場合に、前記コンテンツ集合に含まれているコンテンツを選択対象とし、かつ、前記コンテンツ集合に含まれていないコンテンツを選択対象としない第２の方法が採用されるように、前記選択ステップによる選択方法を切り替える切替ステップと、
を有することを特徴とする情報処理方法。
【請求項１４】
請求項１３に記載の情報処理方法の各ステップをコンピュータに実行させることを特徴とするプログラム。
【発明の詳細な説明】
【技術分野】
【０００１】
本発明は、情報処理装置に関する。
【背景技術】
【０００２】
撮影した静止画や動画等のデジタル画像データを記録メディア（例えばハードディスクドライブ）に保存し、ＧＵＩ等を用いたユーザ操作に応じて所望のデジタル画像データを再生するメディアプレイヤが普及している。また、デバイスが他のデバイスに近づけられたことに応じてデバイス間の通信を実行する近接無線通信技術がある。近接無線通信技術は、その直感的な操作性から、コンシューマ用の電子機器の分野のみならず、電子広告の分野において広く普及することが見込まれている。近接無線通信技術に関する従来技術は、例えば、特許文献１に開示されている。
【０００３】
また、記録メディアの記憶容量の増加に伴い、記録メディアが記憶可能なコンテンツ（デジタル画像データ）の数が増加している。しかしながら、記録メディアが記憶する複数のコンテンツの中から所望のコンテンツを検索（探索）する方法は複雑化している。例えば、コンテンツの検索（探索）に使用する条件（キーワード等）の設定方法が複雑化している。そのため、ユーザは、所望のコンテンツを容易に探し出すことができない。また、従来の方法では、条件に合致したコンテンツのみを示す情報が検索結果としてユーザに提示される。そのため、ユーザは、条件に合致したコンテンツに関連し、かつ、条件に合致しないコンテンツ（関連コンテンツ）を、上記検索結果から探し出すことができない。そのため、ユーザは、関連コンテンツを容易に探し出すことができない。
【先行技術文献】
【特許文献】
【０００４】
【特許文献１】特開２０１５−１５２９５８号公報
【発明の概要】
【発明が解決しようとする課題】
【０００５】
本発明は、ユーザが所望のコンテンツを容易に探し出すことできる技術を提供することを目的とする。
【課題を解決するための手段】
【０００６】
本発明の第１の態様は、
記憶部が記憶する複数のコンテンツのうちの１つ以上のコンテンツの集まりであるコンテンツ集合に関連した指定情報を取得する取得手段と、
前記複数のコンテンツのいずれかを選択する選択手段と、
前記取得手段により前記指定情報が取得されていない場合に、前記複数のコンテンツのそれぞれを選択対象とする第１の方法が採用され、前記取得手段により前記指定情報が取得されている場合に、前記コンテンツ集合に含まれているコンテンツを選択対象とし、かつ、前記コンテンツ集合に含まれていないコンテンツを選択対象としない第２の方法が採用されるように、前記選択手段による選択方法を切り替える切替手段と、
を有することを特徴とする情報処理装置である。
【０００７】
本発明の第２の態様は、
記憶部が記憶する複数のコンテンツのうちの１つ以上のコンテンツの集まりであるコンテンツ集合に関連した指定情報を取得する取得ステップと、
前記複数のコンテンツのいずれかを選択する選択ステップと、
前記取得ステップにより前記指定情報が取得されていない場合に、前記複数のコンテンツのそれぞれを選択対象とする第１の方法が採用され、前記取得ステップにより前記指定情報が取得されている場合に、前記コンテンツ集合に含まれているコンテンツを選択対象とし、かつ、前記コンテンツ集合に含まれていないコンテンツを選択対象としない第２の方法が採用されるように、前記選択ステップによる選択方法を切り替える切替ステップと、
を有することを特徴とする情報処理方法である。
【０００８】
本発明の第３の態様は、上述した情報処理方法の各ステップをコンピュータに実行させることを特徴とするプログラムである。
【発明の効果】
【０００９】
本発明によれば、ユーザが所望のコンテンツを容易に探し出すことできる。
【図面の簡単な説明】
【００１０】
【図１】実施例１，２に係る情報処理装置の構成の一例を示す図
【図２】実施例１，２に係るリモコンの外観の一例を示す図
【図３】実施例１，２に係るＨＤＤの保存データの階層構造の一例を示す図
【図４】実施例１，２に係る一覧表示画像の一例を示す図
【図５】実施例１，２に係るブック生成システムの一例を示す図
【図６】実施例１，２に係るテーブルの一例を示す図
【図７】実施例１に係る近接無線通信に関する処理フローの一例を示す図
【図８】実施例１，２に係るスライドショー表示の処理フローの一例を示す図
【図９】実施例１に係るブラウズリスト生成処理の処理フローの一例を示す図
【図１０】実施例１，２に係る一覧表示画像の一例を示す図
【図１１】実施例２に係る近接無線通信に関する処理フローの一例を示す図
【発明を実施するための形態】
【００１１】
＜実施例１＞
以下、図面を参照して本発明の実施例１を説明する。図１は、本実施例に係る情報処理装置１００の構成の一例を示すブロック図である。情報処理装置１００としては、例えば、一般的なパーソナルコンピュータ（ＰＣ）を用いることができる。図１に示すように、内部バス１１１に対して、ＣＰＵ１０１、ハードディスクドライブ（ＨＤＤ）１０２、メモリ１０３、表示制御部１０４、入力部１０５、ドライブ装置１０６、近接無線Ｉ／Ｆ１０９、及び、高速通信Ｉ／Ｆ１０７が接続されている。内部バス１１１に接続された各機能部は、内部バス１１１を介して他の機能部とのデータの送受信を行うことができる。
【００１２】
ＨＤＤ１０２は、様々なデータを記憶する記憶部である。例えば、ＨＤＤ１０２には、画像データ、ＣＰＵ１０１の処理に使用される各種プログラム、その他のデータ、等が格納（記録）される。メモリ１０３は、例えば、ＲＡＭである。ＣＰＵ１０１は、例えば、ＨＤＤ１０２に格納されたプログラムに従い、メモリ１０３をワークメモリとして用いて、情報処理装置１００の各機能部の処理を制御する。なお、上記プログラムはＨＤＤ１０２以外の記憶部に格納されてもよい。例えば、プログラムは、不図示のＲＯＭに予め格納されてもよい。また、ＨＤＤ１０２（磁気ディスク）の代わりに、ＣＤ、ＤＶＤ、ブルーレイディスクなどの光ディスク、メモリカードなどの不揮発性半導体メモリ、等が使用されてもよい。ＨＤＤ１０２は、情報処理装置１００に対して着脱可能な記憶部であってもよいし、そうでなくてもよい。情報処理装置１００に対して着脱可能な記憶部は、「情報処理装置１００とは別体の装置（外部装置）」と言える。ＨＤＤ１０２として、情報処理装置１００がネットワークを介して参照可能な記憶部が使用されてもよい。
【００１３】
入力部１０５は、ユーザ操作を受け付け、ユーザ操作に応じた制御信号を生成し、生成した制御信号をＣＰＵ１０１に供給（出力）する。例えば、入力部１０５は、入力デバイスに対するユーザ操作に応じて入力デバイスから出力された信号を受信する受信部を有し、受信部の受信信号に応じた制御信号を生成し、制御信号をＣＰＵ１０１に供給する。入力デバイスは、情報処理装置１００の一部であってもよいし、そうでなくてもよい。入力デバイスとしては、キーボードなどの文字情報入力デバイス、マウスやタッチパネルなどのポインティングデバイス、リモコンなどの操作コマンド入力デバイス、等を用いることができる。タッチパネルは、例えば、平面的に構成されたセンサ部を有し、ユーザが接触したセンサ部の位置に応じた座標情報を出力する。ＣＰＵ１０１は、入力部１０５から供給された制御信号に基づいて、情報処理装置１００の各機能部の処理を制御する。これにより、ユーザ操作に応じた処理を情報処理装置１００に行わせることができる。制御信号に基づく処理の制御方法は、例えば、ＣＰＵ１０１が実行するプログラムに依存する。
【００１４】
表示制御部１０４は、画像の表示を表示部１１０に行わせる。具体的には、表示制御部１０４は、表示部１１０に画像の表示を行わせるための表示信号を、表示部１１０に出力する。例えば、ＣＰＵ１０１は、プログラムに従って表示制御信号を生成し、生成した表示制御信号を表示制御部１０４に供給する。表示制御部１０４は、ＣＰＵ１０１から供給された表示制御信号に基づいて表示信号を生成し、生成した表示信号を表示部１１０に供給する。例えば、表示制御部１０４は、表示制御信号に基づいて、ＧＵＩ（Ｇｒａｐｈｉｃａｌ  Ｕｓｅｒ  Ｉｎｔｅｒｆａｃｅ）を構成するＧＵＩ画像の表示を表示部１１０に行わせる。表示部１１０としては、液晶表示パネル、有機ＥＬ表示パネル、プラズマ表示パネル、等を使用することができる。なお、表示部１１０は、情報処理装置１００に対して着脱可能な表示部（表示装置）であってもよいし、そうでなくてもよい。表示部１１０と表示制御部１０４（情報処理装置１００）との接続方法は特に限定されない。例えば、表示部１１０は、ＨＤＭＩ（Ｈｉｇｈ−Ｄｅｆｉｎｉｔｉｏｎ  Ｍｕｌｔｉｍｅｄｉａ  Ｉｎｔｅｒｆａｃｅ）等の画像インターフェイスを用いて表示制御部１０４に接続されてもよい。
【００１５】
外部記憶媒体１０８は、ドライブ装置１０６に対して着脱可能な記憶部である。外部記憶媒体１０８は、様々なデータを記憶する。外部記憶媒体１０８としては、磁気ディスク、光ディスク、不揮発性半導体メモリ、等を使用することができる。ドライブ装置１０６は、ＣＰＵ１０１からの指示に基づいて、装着された外部記憶媒体１０８からのデータの読み出しと、外部記憶媒体１０８へのデータの書き込みとを行う。
【００１６】
近接無線インターフェイス（Ｉ／Ｆ）１０９は、ＣＰＵ１０１からの指示に基づいて、近接無線通信を実行する。近接無線通信は、ＮＦＣ（Ｎｅａｒ  Ｆｉｅｌｄ  Ｃｏｍｍｕｎｉｃａｔｉｏｎ）のように数ｃｍ〜数十ｃｍという比較的短い距離でのみデータ通信が可能な無線通信である。近接無線通信においては、誘導電界が用いられる。高速通信Ｉ／Ｆ１０７は、ＣＰＵ１０１からの指示に基づいて、ＬＡＮ／ＷＬＡＮ、インターネット、等のネットワーク１２０に対する通信を行う。
【００１７】
近接無線Ｉ／Ｆ１０９は、例えば、１ｍ未満（特には数十ｃｍ未満）の通信距離を想定して規定された通信プロトコルに基づく無線通信を行う。このような通信プロトコルとしては、通信距離が約７０ｃｍ以下である「近傍型」の非接触通信プロトコル、通信距離が約１０ｃｍ以下である「近接型」の非接触通信プロトコル、等が知られている。具体的には、ＩＳＯ／ＩＥＣ１５６９３、ＩＳＯ／ＩＥＣ１４４３４、ＥＣＭＡ−３４０（ＩＳＯ／ＩＥＣ１８０９２）などの規格が知られている。
【００１８】
なお、本発明が適用される装置はＰＣに限らない。画像を表示可能な装置であれば、いかなる装置にも本発明を適用することができる。例えば、デジタルカメラ、携帯端末（携
帯電話やスマートフォンなど）、ゲーム機、プリンタ、デジタルフォトフレーム、等に本発明を適用することもできる。具体的には、デジタルカメラが読み取り可能な記憶媒体（メモリカードなど）に記録された撮影画像を、デジタルカメラが有する表示部（背面液晶装置など）に表示する場合の処理として、後述する本発明の処理が行われてもよい。プリンタの印刷対象を決定するための印刷画像を表示する場合の処理として、本発明の処理が行われてもよい。
【００１９】
また、情報処理装置１００は、単一の装置で実現されてもよいし、複数の装置で実現されてもよい。例えば、画像を表示するモニタ装置、画像を記憶する記録メディア装置、及び、ユーザ操作を受け付けるタブレット装置により、情報処理装置１００が実現されてもよい。情報処理装置１００が複数の装置で実現される場合には、複数の処理が、複数の装置で分散して行われる。換言すれば、複数の機能が、複数の装置で分散して実現される。情報処理装置１００を構成する複数の装置は、例えば、Ｌｏｃａｌ  Ａｒｅａ  Ｎｅｔｗｏｒｋ（ＬＡＮ）やＢｌｕｅｔｏｏｔｈなどを用いて互いに通信できるように、互いに接続される。
【００２０】
図２は、情報処理装置１００の入力デバイスであるリモコンの外観の一例を示す外観図である。図２のリモコンは、電源ボタン２０１、インデックスモードボタン２０２、上ボタン２０３、右ボタン２０４、左ボタン２０５、下ボタン２０６、決定ボタン２０７、再生ボタン２０８、停止ボタン２０９、送りボタン２１０、及び、戻しボタン２１１を有する。ユーザがリモコンのボタンを押下すると、押下されたボタンに応じた赤外線信号が、リモコンから出力される。そして、入力部１０５は、リモコンから出力された赤外線信号を受信し、受信した赤外線信号に基づいて適切な制御信号を生成する。なお、リモコンと入力部１０５の間の通信は赤外線通信に限らない。リモコンと入力部１０５の間の通信は、Ｂｌｕｅｔｏｏｔｈを用いた無線通信であってもよい。
【００２１】
図３は、ＨＤＤ１０２に保存されたデータ（ディレクトリとコンテンツ）の階層構造の一例を示す図である。本実施例では、コンテンツは、撮影画像（撮影によって生成された画像）である。図３の例では、ＨＤＤ１０２にグループルートディレクトリ３０１が保存されており、グループルートディレクトリ３０１内に撮影年を示す年ディレクトリ３０２，３０３が保存されている。年ディレクトリ内に、撮影月を示す月ディレクトリ３０４〜３１０が保存されており、月ディレクトリ内に、撮影日を示す日ディレクトリ３１１〜３２４が保存されている。そして、日ディレクトリ内に対応する画像データ３３１〜３８４（撮影画像を表すデジタル画像データ）が保存されている。年ディレクトリ３０２は「２０１１年」を示し、月ディレクトリ３０４は「１月」を示し、日ディレクトリ３１１は「１日」を示す。そのため、２０１１年１月１日に撮影された画像データは、日ディレクトリ３１１内に保存される。各種ディレクトリ（グループルートディレクトリ、年ディレクトリ、月ディレクトリ、及び、日ディレクトリ）は、予め用意されていてもよいし、対応するデジタル画像データが保存されるタイミングで生成されてもよい。各種ディレクトリや画像データは、不図示のデータベースで管理されている。そして、ＣＰＵ１０１は、データベースに登録された情報に基づいて、画像データを検索することができる。
【００２２】
図４は、ＨＤＤ１０２に保存された複数の撮影画像の一覧を示す一覧表示画像の一例を示す図である。図４の一覧表示画像４００には、９個のサムネイル画像４０１〜４０９が配置されている。一覧表示画像４００は、表示部１１０の画面に表示される。サムネイル画像４０１〜４０９は、撮影画像を縮小した縮小画像である。サムネイル画像４０１〜４０９の１つは、フォーカス画像４１０で示されている。ＣＰＵ１０１は、ユーザ操作に応じて以下の動作が実現されるように、種々の処理を行う。
【００２３】
ユーザが上ボタン２０３を押下すると、１つ上のサムネイル画像を示すようにフォーカ
ス画像４１０が移動し、ユーザが右ボタン２０４を押下すると、１つ右のサムネイル画像を示すようにフォーカス画像４１０が移動する。そして、ユーザが左ボタン２０５を押下すると、１つ左のサムネイル画像を示すようにフォーカス画像４１０が移動し、ユーザが下ボタン２０６を押下すると、１つ下のサムネイル画像を示すようにフォーカス画像４１０が移動する。例えば、フォーカス画像４１０がサムネイル画像４０５を示す状態でユーザが上ボタン２０３を押下すると、サムネイル画像４０２を示すように、フォーカス画像４１０が上に移動する。
【００２４】
最も右側に位置するサムネイル画像４０３，４０６，４０９をフォーカス画像４１０が示す状態でユーザが右ボタン２０４を押下すると、サムネイル画像４０１〜４０９が更新される。例えば、サムネイル画像４０１〜４０９に対応する９つの撮影画像の次に撮影された９つの撮影画像に対応する９つのサムネイル画像に、サムネイル画像４０１〜４０９が更新される。最も左側に位置するサムネイル画像４０１，４０４，４０７をフォーカス画像４１０が示す状態でユーザが左ボタン２０５を押下することによっても、サムネイル画像４０１〜４０９が更新される。例えば、サムネイル画像４０１〜４０９に対応する９つの撮影画像の前（直前）に撮影された９つの撮影画像に対応する９つのサムネイル画像に、サムネイル画像４０１〜４０９が更新される。
【００２５】
ユーザが決定ボタン２０７を押下すると、フォーカス画像４１０によって示されたサムネイル画像に対応する撮影画像が選択され、選択された撮影画像が表示部１１０の画面全体に表示される（全画面再生；全画面表示）。また、ユーザが再生ボタン２０８を押下すると、フォーカス画像４１０によって示されたサムネイル画像に対応する撮影画像が選択され、選択された撮影画像から順番に、複数の撮影画像のそれぞれが表示部１１０の画面全体に表示される（連続再生；連続表示）。例えば、複数の撮影画像が撮影順に表示される。
【００２６】
図５は、本実施例に係るブック生成システムの一例を示す図である。図５に示すように、本実施例に係るブック生成システムは、情報処理装置１００とブック管理装置５０１を有する。情報処理装置１００は、インターネット５０２を介してブック管理装置５０１に接続されている。図６（Ａ）〜６（Ｂ）は、本実施例に係るブック生成システムで使用されるテーブルの一例を示す。図６（Ａ）は、フォトブック一覧テーブルを示し、図６（Ｂ）は、フォトブック構成テーブルを示し、図６（Ｃ）は、アップロードテーブルを示す。
【００２７】
情報処理装置１００（ＣＰＵ１０１）は、不図示のＧＵＩを用いたユーザ操作に基づいて、フォトブックを構成する撮影画像を選択し、選択した撮影画像を掲載したフォトブックに関するデータとして、フォトブック構成テーブルを生成する。フォトブック構成テーブルは、ＨＤＤ１０２が記憶する複数の撮影画像のうち、フォトブックに含めたい１つ以上の撮影画像（またはフォトブックに含まれた１つ以上の撮影画像）の集まりであるコンテンツ集合を示す。例えば、図３の画像データ３３１〜３８４のうち、網掛けされた画像データ３４３〜３４８，３５１，３５３，３５７，３６１，３６３〜３６７が選択された場合には、図６（Ｂ）のフォトブック構成テーブルが生成される。ＣＰＵ１０１は、フォトブック構成テーブルに、フォトブック構成テーブルを一意に識別できるフォトブックＩＤ（識別子）を必ず割り振る。そして、ＣＰＵ１０１は、フォトブックＩＤを、図６（Ａ）のフォトブック一覧テーブル一覧で管理する。そのため、ＣＰＵ１０１は、フォトブック構成テーブルを生成した際に、フォトブック一覧テーブルを更新する。ＣＰＵ１０１は、フォトブック一覧テーブルとフォトブック構成テーブルをＨＤＤ１０２に格納する。それにより、ユーザの任意のタイミングで、フォトブック構成テーブルが示す複数の撮影画像の連続再生（スライドショー再生）を行うことが可能となる。
【００２８】
図６（Ｂ）の例では、フォトブック構成テーブルは、ファイル識別情報とフレーム情報
を含む。ファイル識別情報は、撮影画像を識別する情報であり、ＨＤＤ１０２内における撮影画像の保存場所を示す。フレーム情報は、動画を構成する複数のフレームのうち、フォトブックに含めたいフレーム（またはフォトブックに含まれたフレーム）を示す。図６（Ｂ）の例では、撮影画像が静止画である場合には、フレーム情報として「０」が設定される。そして、撮影画像が動画である場合には、フレーム情報として、フォトブックに含めたいシーンの始点の時間位置（時分秒）と、当該シーンのフレーム数とが設定される。シーンの始点の時間位置は、「動画の最初のフレームからシーンの始点のフレームまでの経過時間」と言うこともできる。なお、ネットワークを介して参照可能な記憶部がＨＤＤ１０２として使用される場合には、ファイル識別情報として、撮影画像の保存場所に対応するＵＲＬが使用される。
【００２９】
情報処理装置１００は、フォトブック構成テーブルを用いて、ブック管理装置５０１にフォトブックを注文することができる。フォトブックの注文において、情報処理装置１００（ＣＰＵ１０１）は、フォトブック構成テーブルからアップロードテーブルを生成する。そして、ＣＰＵ１０１は、注文対象のフォトブックに関するデータを、高速通信Ｉ／Ｆ１０７を用いてブック管理装置５０１に送信する。具体的には、アップロードテーブル、フォトブックＩＤ、コンテンツ集合の画像データ、フォトブックを送付する宛先、等が、ブック管理装置５０１に送信される。図６（Ｃ）のアップロードテーブルは、図６（Ｂ）のフォトブック管理テーブルのファイル識別情報を、撮影画像のファイル名に置き換えたテーブルである。
【００３０】
ブック管理装置５０１は、受信した画像データが表す撮影画像をページにレイアウトすることにより、フォトブックを表すフォトブックデータを生成し、生成したフォトブックデータを、受信したフォトブックＩＤを関連づけて記憶する。そして、ブック管理装置５０１は、フォトブックデータに基づいて印刷および製本を行うことにより、フォトブックを生成する。ブック管理装置５０１の管理者（管理会社）は、生成されたフォトブックを、指定された宛先に配送する。アップロードテーブルが動画を示す場合には、動画を構成する複数のフレームのうち、フレーム情報で示された各フレームがページにレイアウトされる。フォトブックは、指定情報を記憶する非接触型ＩＣタグ（近接無線タグモジュール）が貼り付けられた後に、配送される。指定情報は、フォトブックに対応するコンテンツ集合に関連した情報である。本実施例では、指定情報として、コンテンツ集合を少なくとも示す情報が使用される。具体的には、指定情報として、フォトブックＩＤが使用される。
【００３１】
近接無線Ｉ／Ｆ１０９と非接触型ＩＣタグの間の距離が閾値以下になると、近接無線Ｉ／Ｆ１０９は、非接触型ＩＣタグとの近接無線通信を行うことにより、非接触型ＩＣタグから指定情報を読み出す。近接無線Ｉ／Ｆ１０９は、複数の非接触型ＩＣタグとの近接無線通信を行うことができ、複数の非接触型ＩＣタグから複数の指定情報を読み出すことができる。ＣＰＵ１０１は、近接無線Ｉ／Ｆ１０９の動作を監視することにより、近接無線通信が行われているか否かを判断することができる。なお、指定情報の取得方法は、非接触型ＩＣタグを用いた方法に限らない。非接触型ＩＣタグ以外の電子機器との近接無線通信により、指定情報が取得されてもよい。また、指定情報を入力するユーザ操作に応じて指定情報が取得されてもよい。この場合、入力部１０５によって指定情報が取得される。
【００３２】
図７（Ａ），７（Ｂ）は、本実施例に係る近接無線通信に関する処理フローの一例を示すフローチャートである。図７（Ａ）は、近接無線通信の開始に関する処理フローを示す。図７（Ａ）の処理フローは、例えば、情報処理装置１００が起動したことをトリガとして開始される。まず、Ｓ７０１にて、ＣＰＵ１０１が、近接無線Ｉ／Ｆ１０９の動作を監視することにより、近接無線Ｉ／Ｆ１０９と非接触型ＩＣタグの間の近接無線通信が開始されたか否かを判断する。近接無線通信が開始されるまでＳ７０１の処理が繰り返される
。近接無線通信が開始されると、Ｓ７０２に処理が進められる。
【００３３】
Ｓ７０２では、ＣＰＵ１０１が、近接無線Ｉ／Ｆ１０９を介して非接触型ＩＣタグからフォトブックＩＤ（指定情報）を読み出す。そして、Ｓ７０３にて、ＣＰＵ１０１が、ＨＤＤ１０２に保存されているフォトブック一覧テーブルを参照し、読み出したフォトブックＩＤがフォトブック一覧テーブルに登録されているか否かを判断する。読み出したフォトブックＩＤがフォトブック一覧テーブルに登録されていない場合には、Ｓ７０１に処理が戻される。その際、読み出したフォトブックＩＤに関する情報が登録されていないことをユーザに通知する通知処理が、ＣＰＵ１０１によって行われてもよい。ユーザへの情報の通知は、画像表示、音声出力、ランプの点灯、等によって実現される。読み出したフォトブックＩＤがフォトブック一覧テーブルに登録されている場合には、Ｓ７０４に処理が進められる。
【００３４】
Ｓ７０４では、ＣＰＵ１０１が、読み出されたフォトブックＩＤを示すフォトブック表示開始リクエストを発行する。その後、Ｓ７０１に処理が戻される。フォトブック表示開始リクエストは、フォトブックＩＤに関連付けられたフォトブック構成テーブルに基づくスライドショー再生を開始するためのリクエストである。
【００３５】
図７（Ｂ）は、近接無線通信の終了に関する処理フローを示す。図７（Ｂ）の処理フローは、例えば、フォトブック表示開始リクエストが発行されたことをトリガとして開始される。まず、Ｓ７１１にて、ＣＰＵ１０１が、近接無線Ｉ／Ｆ１０９の動作を監視することにより、近接無線Ｉ／Ｆ１０９と非接触型ＩＣタグの間の近接無線通信が終了（解除）されたか否かを判断する。近接無線通信が解除されるまでＳ７１１の処理が繰り返される。近接無線通信が解除されると、Ｓ７１２に処理が進められる。
【００３６】
Ｓ７１２では、ＣＰＵ１０１が、解除された近接無線通信により取得されたフォトブックＩＤ（解除ＩＤ）を判断する。例えば、ＣＰＵ１０１は、近接無線Ｉ／Ｆ１０９を用いて、近接無線Ｉ／Ｆ１０９との近接無線通信が行われている非接触型ＩＣタグに、フォトブックＩＤ送信要求を出力する。非接触型ＩＣタグは、フォトブックＩＤ送信要求に応じてフォトブックＩＤを出力する。ＣＰＵ１０１は、フォトブックＩＤ送信要求に応じて返されたフォトブックＩＤ以外のフォトブックＩＤを、解除ＩＤとして検出する。
【００３７】
次に、Ｓ７１３にて、ＣＰＵ１０１が、解除ＩＤを示すフォトブック表示終了リクエストを発行する。フォトブック表示終了リクエストは、フォトブック表示終了リクエストに対応するスライドショー再生を終了するためのリクエストである。
【００３８】
そして、Ｓ７１４にて、ＣＰＵ１０１が、フォトブック一覧テーブルで管理されているフォトブックＩＤを取得する全ての近接無線通信が解除されたか否かを判断する。全ての近接無線通信が解除された場合には、本処理フローが終了され、それ以外の場合には、Ｓ７１１に処理が戻される。
【００３９】
本実施例では、ＨＤＤ１０２に、フォトブック表示開始リクエストを管理するフォトブック表示リクエストテーブルが保存される。ＣＰＵ１０１は、発行したフォトブック表示開始リクエストをフォトブック表示リクエストテーブルに登録する。そして、ＣＰＵ１０１は、発行したフォトブック表示終了リクエストに対応するフォトブック表示開始リクエストを、フォトブック表示リクエストテーブルから削除する。フォトブック表示終了リクエストに対応するフォトブック表示開始リクエストは、フォトブック表示終了リクエストで示されたフォトブックＩＤと同じフォトブックＩＤを示すフォトブック表示開始リクエストである。
【００４０】
図８は、本実施例に係るフォトブックのスライドショー表示の一例を示すフローチャートである。図８の処理フローは、例えば、情報処理装置１００が起動したことをトリガとして開始される。まず、Ｓ８０１にて、ＣＰＵ１０１が、フォトブック表示リクエストテーブルを監視することにより、フォトブック表示リクエストテーブルに新たなフォトブック表示開始リクエストが登録されたか否かを判断する。新たなフォトブック表示開始リクエストが登録されるまで、Ｓ８０１の処理が繰り返される。新たなフォトブック表示開始リクエストが登録されると、Ｓ８０２に処理が進められる。なお、本実施例では、ＣＰＵ１０１は、スライドショー再生済みのフォトブック表示開始リクエストに対して、再生済みフラグを関連付ける。Ｓ８０１では、再生済みフラグが関連付けられていないフォトブック表示開始リクエストが、新たなフォトブック表示開始リクエストとして検出される。
【００４１】
Ｓ８０２では、ＣＰＵ１０１が、フォトブック表示リクエストテーブルから未再生フォトブック開始リクエストを読み出す。未再生フォトブック開始リクエストは、再生済みフラグが関連付けられていないフォトブック表示開始リクエストである。そして、ＣＰＵ１０１は、読み出した未再生フォトブック開始リスクエストのスライドショー再生が行われるように、表示制御部１０４に表示制御信号を出力する。具体的には、ＣＰＵ１０１は、未再生フォトブック開始リクエストに対応するフォトブック構成テーブルを参照する。そして、ＣＰＵ１０１は、参照したフォトブック構成テーブルで示された撮影画像のスライドショー再生が行われるように、表示制御部１０４に表示制御信号を出力する。未再生フォトブック開始リクエストに対応するフォトブック構成テーブルは、未再生フォトブック開始リクエストで示されたフォトブックＩＤと同じフォトブックＩＤに関連付けられたフォトブック構成テーブルである。フォトブック構成テーブルで静止画と動画の両方が示されている場合には、スライドショー再生において、所定時間（例えば５秒間）の静止画の表示と、動画全体の表示とが行われる。
【００４２】
次に、Ｓ８０３にて、ＣＰＵ１０１が、読み出した未再生フォトブック開始リスクエストのスライドショー再生が完了したか否かを判断する。具体的には、ＣＰＵ１０１は、未再生フォトブック開始リスクエストに対応するフォトブック構成テーブルが示す全ての撮影画像の再生（表示）が完了したか否かを判断する。未再生フォトブック開始リスクエストのスライドショー再生が完了するまで、Ｓ８０２とＳ８０３の処理が繰り返される。未再生フォトブック開始リスクエストのスライドショー再生が完了すると、Ｓ８０４に処理が進められる。
【００４３】
Ｓ８０４では、ＣＰＵ１０１が、スライドショー再生が完了したと判断された未再生フォトブック開始リスクエストに再生済みフラグを関連付ける。そして、ＣＰＵ１０１が、表示部１１０の表示を、スライドショー再生の直前の表示に戻す。それにより、１つのフォトブック表示開始リクエストについての処理が終了する。その後、Ｓ８０１に処理が戻される。
【００４４】
図８の処理フローによれば、フォトブック表示開始リクエストのスライドショー再生が開始されると、当該スライドショー再生は近接無線通信の実行／非実行に拘らず最後まで実行される。即ち、図８の処理フローによれば、近接無線通信の解除によってスライドショー再生が中断されることはない。
【００４５】
情報処理装置１００は、図８の処理フローを行うスライドショーモードの他に、ブラウズモードを有する。ブラウズモードでは、表示制御部１０４が、ＣＰＵ１０１からの表示制御信号に基づいて、１つ以上の撮影画像のリストの表示を表示部１１０に行わせる。例えば、ブラウズモードでは、図４に示す画像表示が行われる。そして、ブラウズモードでは、ＣＰＵ１０１は、表示されたリストを用いたユーザ操作に応じて、撮影画像を選択する。撮影画像の選択方法は、図４を用いて説明した方法と同じである。但し、撮影画像の
選択方法は特に限定されない。例えば、撮影画像は自動で選択されてもよい。
【００４６】
本実施例では、ＣＰＵ１０１は、指定情報が取得されていない場合に第１の方法が採用され、指定情報が取得されている場合に第２の方法が採用されるように、撮影画像の選択方法を切り替える（切替処理）。換言すれば、ＣＰＵ１０１は、指定情報が取得されていない場合にブラウズモードとしてオールブラウズモードが設定され、指定情報が取得されている場合にブラウズモードとしてフォトブックブラウズモードが設定されるように、ブラウズモードを切り替える。第１の方法（オールブラウズモード）では、ＨＤＤ１０２が記憶する全てのコンテンツのそれぞれが選択対象とされる。第２の方法（フォトブックブラウズモード）では、指定情報に関連したコンテンツ集合に含まれているコンテンツが選択対象とされ、かつ、当該コンテンツ集合に含まれていないコンテンツが選択対象とされない。
【００４７】
ユーザは、図２のインデックスモードボタン２０２を押下することにより、インデックスモードのＯＮとＯＦＦを切り替えることができる。インデックスモードの状態がＯＮである場合に、フォトブックブラウズモードの設定が許可される。そして、インデックスモードの状態がＯＦＦである場合には、フォトブックブラウズモードの設定は許可されない。そのため、インデックスモードの状態がＯＮであり、かつ、指定情報が取得されている場合に、フォトブックブラウズモードが設定される。そして、インデックスモードの状態をＯＮからＯＦＦに切り替えるユーザ操作（モード切替操作）に応じて、フォトブックブラウズモードからインデックスモードにブラウズモードが切り替えられる。上記モード切替操作は、「第２の方法を解除するユーザ操作」と言うこともできる。また、インデックモードの状態に拘らず、フォトブック一覧テーブルで管理されているフォトブックＩＤを取得する近接無線通信が行われなくなったことに応じても、フォトブックブラウズモードからインデックスモードにブラウズモードが切り替えられる。具体的には、フォトブック一覧テーブルで管理されているフォトブックＩＤを取得する全ての近接無線通信が行われなくなったことに応じて、フォトブックブラウズモードからインデックスモードにブラウズモードが切り替えられる。
【００４８】
なお、ブラウズモードの切替方法や切替タイミングは特に限定されない。例えば、モード切替操作が行われたことと、近接無線通信が行われなくなったこととの一方のみに応じて、フォトブックブラウズモードからインデックスモードにブラウズモードが切り替えられてもよい。指定情報が取得されていない場合にブラウズモードとしてインデックスモードが設定され、指定情報が取得されている場合にブラウズモードとしてフォトブックブラウズモードが設定されればよい。
【００４９】
図９は、フォトブックブラウズモードで使用されるブラウズリストを生成するブラウズリスト生成処理の処理フローの一例を示すフローチャートである。ブラウズリストは、ＨＤＤ１０２に保存されている。ＣＰＵ１０１は、図９の処理フローが開始されたこと、フォトブックブラウズモードが解除されたこと、等に応じて、ブラウズリストの状態を初期状態にリセットする。図９の処理フローは、例えば、フォトブックブラウズモードが設定されたことをトリガとして開始される。
【００５０】
まず、Ｓ９０１にて、ＣＰＵ１０１が、フォトブック表示リクエストテーブルに登録されている全てのフォトブック表示開始リクエストについて、フォトブック表示開始リクエストで示されたフォトブックＩＤを取得する。次に、Ｓ９０２にて、ＣＰＵ１０１が、Ｓ９０１で取得されたフォトブックＩＤに関連付けられたフォトブック構成テーブルから、ファイル識別情報を取得する。そして、Ｓ９０３にて、ＣＰＵ１０１が、Ｓ９０２で取得されたファイル識別情報をブラウズリストに登録する。なお、初期状態において、ブラウズリストにはファイル識別情報が登録されていない。
【００５１】
次に、Ｓ９０４にて、ＣＰＵ１０１が、Ｓ９０１で取得された全てのフォトブックＩＤについてＳ９０２とＳ９０３の処理が行われたか否かを判断する。Ｓ９０１で取得された全てのフォトブックＩＤについてＳ９０２とＳ９０３の処理が行われるまで、Ｓ９０２〜Ｓ９０４の処理が繰り返される。Ｓ９０１で取得された全てのフォトブックＩＤについてＳ９０２とＳ９０３の処理が行われると、本処理フローが終了される。
【００５２】
図１０（Ａ）は、フォトブックブラウズモードにおける一覧表示画像（撮影画像のリスト）の一例を示す。図１０（Ａ）において、符号１００１は、一覧表示画像を示す。符号１００２，１００３，１００８，１００９は、ブラウズリストに登録されているファイル識別情報で識別された撮影画像のサムネイル画像（登録サムネイル画像）を示す。符号１００４，１００５，１００６，１００７，１０１０は、ブラウズリストに登録されていないファイル識別情報で識別された撮影画像のサムネイル画像（非登録サムネイル画像）を示す。ＣＰＵ１０１は、ユーザ操作に応じて以下の動作が実現されるように、種々の処理を行う。以下の動作は、ブラウズリストを使用することで実現することができる。
【００５３】
フォトブックブラウズモードでは、ブラウズリストに登録されているファイル識別情報で識別された撮影画像のみが選択対象とされる。具体的には、フォーカス画像１０１１によって示されるサムネイル画像が、登録サムネイル画像に制限される。
【００５４】
図１０（Ａ）では、登録サムネイル画像１００２がフォーカス画像１０１１によって示されており、登録サムネイル画像１００２は他のサムネイル画像よりもやや大きめに表示される。以後、フォーカス画像１０１１によって示されたサムネイル画像を「フォーカスサムネイル画像」と記載する。ここで、この状態において上ボタン２０３、右ボタン２０４、左ボタン２０５、または、下ボタン２０６が押下された場合を考える。この場合、登録サムネイル画像１００３、登録サムネイル画像１００８、または、登録サムネイル画像１００９を示すように、フォーカス画像１０１１が移動する。具体的には、押下されたボタンに対応する方向においてフォーカスサムネイル画像に最も近い登録サムネイル画像を示すように、フォーカス画像１０１０が移動する。例えば、右ボタン２０４が押下された場合には、登録サムネイル画像１００９を示すように、フォーカス画像１０１０が移動する。左ボタン２０５または上ボタン２０３が押下された場合には、登録サムネイル画像１００３を示すように、フォーカス画像１０１０が移動する。そして、下ボタン２０６が押下された場合には、登録サムネイル画像１００８を示すように、フォーカス画像１０１０が移動する。また、フォーカス画像１０１０の移動方向に登録サムネイル画像が表示されていない場合には、次の登録サムネイル画像が表示されるように一覧表示画像が更新され、フォーカス画像１０１０が移動する。
【００５５】
フォーカスサムネイル画像の１つ左に複数の登録サムネイル画像が表示されることがある。この場合、左ボタン２０５の押下に応じて、フォーカスサムネイル画像の１つ左に存在する複数の登録サムネイル画像のいずれかを示すように、フォーカス画像１０１０が移動する。具体的には、フォーカスサムネイル画像と同じ行に位置する登録サムネイル画像が他の登録サムネイル画像よりも優先して選択される。フォーカスサムネイル画像と同じ行に位置する登録サムネイル画像が存在しない場合には、フォーカスサムネイル画像よりも上側に位置する登録サムネイル画像が他の登録サムネイル画像よりも優先して選択される。そして、選択された登録サムネイル画像を示すように、フォーカス画像１０１０が移動する。
【００５６】
フォーカスサムネイル画像の１つ右に複数の登録サムネイル画像が表示されることもある。この場合、右ボタン２０４の押下に応じて、フォーカスサムネイル画像の１つ右に存在する複数の登録サムネイル画像のいずれかを示すように、フォーカス画像１０１０が移
動する。具体的には、フォーカスサムネイル画像と同じ行に位置する登録サムネイル画像が他の登録サムネイル画像よりも優先して選択される。フォーカスサムネイル画像と同じ行に位置する登録サムネイル画像が存在しない場合には、フォーカスサムネイル画像よりも下側に位置する登録サムネイル画像が他の登録サムネイル画像よりも優先して選択される。そして、選択された登録サムネイル画像を示すように、フォーカス画像１０１０が移動する。
【００５７】
フォーカスサムネイル画像の１つ上に複数の登録サムネイル画像が表示されることもある。この場合、上ボタン２０３の押下に応じて、フォーカスサムネイル画像の１つ上に存在する複数の登録サムネイル画像のいずれかを示すように、フォーカス画像１０１０が移動する。具体的には、フォーカスサムネイル画像と同じ列に位置する登録サムネイル画像が他の登録サムネイル画像よりも優先して選択される。フォーカスサムネイル画像と同じ列に位置する登録サムネイル画像が存在しない場合には、フォーカスサムネイル画像よりも左側に位置する登録サムネイル画像が他の登録サムネイル画像よりも優先して選択される。そして、選択された登録サムネイル画像を示すように、フォーカス画像１０１０が移動する。
【００５８】
フォーカスサムネイル画像の１つ下に複数の登録サムネイル画像が表示されることもある。この場合、下ボタン２０６の押下に応じて、フォーカスサムネイル画像の１つ下に存在する複数の登録サムネイル画像のいずれかを示すように、フォーカス画像１０１０が移動する。具体的には、フォーカスサムネイル画像と同じ列に位置する登録サムネイル画像が他の登録サムネイル画像よりも優先して選択される。フォーカスサムネイル画像と同じ列に位置する登録サムネイル画像が存在しない場合には、フォーカスサムネイル画像よりも右側に位置する登録サムネイル画像が他の登録サムネイル画像よりも優先して選択される。そして、選択された登録サムネイル画像を示すように、フォーカス画像１０１０が移動する。
【００５９】
なお、複数の登録サムネイル画像の１つを優先して選択する方法は、上記方法に限らない。例えば、複数の登録サムネイル画像のうち、撮影時刻がフォーカスサムネイル画像に最も近い登録サムネイル画像が優先して選択されてもよい。
【００６０】
また、複数のコンテンツ集合に関連した複数の指定情報（フォトブックＩＤ）が取得されることがある。この場合には、フォトブックブラウズモードにおいて、複数の指定情報に関連した複数のコンテンツ集合の全てに含まれている撮影画像が選択対象とされ、かつ、それ以外の撮影画像が選択対象とされなくてもよい（論理積）。フォトブックブラウズモードにおいて、複数の指定情報に関連した複数のコンテンツ集合の少なくともいずれかに含まれている撮影画像が選択対象とされ、かつ、それ以外の撮影画像が選択対象とされなくてもよい（論理和）。
【００６１】
図１０（Ｂ）は、オールブラウズモードにおける一覧表示画像の一例を示す。図１０（Ｂ）において、符号１０２１は、一覧表示画像を示す。符号１０２２〜１０３０は、サムネイル画像を示す。オールブラウズモードでは、ＨＤＤ１０２に保存されている全ての撮影画像が選択対象とされる。フォーカス画像１０３１の移動方法は、図４を用いて説明した方法と同じである。
【００６２】
なお、本実施例では、選択方法（ブラウズモード）に拘らず同じ撮影画像（サムネイル画像）のリストが表示される例を説明したが、これに限らない。選択対象とされた撮影画像を少なくとも含む１つ以上の撮影画像のリストが表示されればよい。例えば、フォトブックブラウズモードにおいて、登録サムネイル画像のみが表示されてもよい。
【００６３】
なお、フォトブックブラウズモードの終了方法は、フォトブックブラウズモードからオールブラウズモードへ切り替える方法に限らない。例えば、図１０（Ａ）の一覧表示画像から他の画像に表示を切り替えることにより、フォトブックブラウズモードが終了されてもよい。
【００６４】
以上述べたように、本実施例によれば、指定情報が取得されているか否かに応じて、選択方法（ブラウズモード）が切り替えられる。それにより、膨大な数の撮影画像の中からユーザが所望の撮影画像を容易に探し出すことが可能となる。具体的には、一部の撮影画像だけでなく、当該一部の撮影画像に関連した他の撮影画像をユーザが容易に探し出すことが可能となる。
【００６５】
なお、指定情報は、コンテンツ集合に関連した情報であれば、どのような情報であってもよい。例えば、コンテンツ集合に含まれている撮影画像を少なくとも示す情報が指定情報として使用されてもよい。具体的には、フォトブック構成テーブルやアップロードテーブルが指定情報として使用されてもよい。フォトブックＩＤとアップロードテーブルの組み合わせが指定情報として使用されもよい。
【００６６】
なお、本実施例では、撮影画像をコンテンツとして用い、フォトブックに含まれた撮影画像の集まりをコンテンツ集合として用いる例を説明したが、これに限らない。例えば、イラスト、楽曲、テキスト等のデータがコンテンツとして使用されてもよい。
【００６７】
＜実施例２＞
以下、図面を参照して本発明の実施例２を説明する。情報処理装置は、ユーザ操作に応じて、記憶している撮影画像を削除することができる。そのため、情報処理装置では、選択対象とされた撮影画像が削除されていることがある。本実施例では、選択対象とされた撮影画像が削除されている場合の例を説明する。なお、実施例１と同じ構成や処理についての説明は省略する。
【００６８】
本実施例に係る情報処理装置の構成は、実施例１の図１を用いて説明した構成と同じである。本実施例に係るリモコンの構成は、実施例１の図２を用いて説明した構成と同じである。本実施例に係るＨＤＤ１０２に保存されているデータ（ディレクトリと撮影画像）の階層構造は、実施例１の図３を用いて説明した構成と同じである。撮影画像が削除されていない場合において、本実施例に係る一覧表示画像は、実施例１の図４，１０（Ａ），１０（Ｂ）を用いて説明した画像と同じである。本実施例に係るブック生成システムの構成は、実施例１の図５を用いて説明した構成と同じである。本実施例に係るブック生成システムで使用されるテーブルは、実施例１の図６（Ａ）〜６（Ｃ）を用いて説明したテーブルと同じである。本実施例に係るフォトブックスライドショー表示の処理フローは、実施例１の図８を用いて説明した処理フローと同じである。
【００６９】
図１１（Ａ），１１（Ｂ）は、本実施例に係る近接無線通信に関する処理フローの一例を示すフローチャートである。図１１（Ａ）は、近接無線通信の開始に関する処理フローを示す。図１１（Ｂ）は、近接無線通信の終了に関する処理フローを示す。図１１（Ａ），１１（Ｂ）において、実施例１の図７（Ａ），７（Ｂ）の処理と同じ処理には同じ符号が付されている。図７（Ａ），７（Ｂ）の処理と同じ処理についての説明は省略する。
【００７０】
Ｓ７０１の次に、Ｓ１１０１にて、ＣＰＵ１０１が、近接無線Ｉ／Ｆ１０９を介して非接触型ＩＣタグから指定情報を読み出す。本実施例では、フォトブックの注文において、情報処理装置１００（ＣＰＵ１０１）が、アップロードテーブルの代わりにフォトブック管理テーブルをブック管理装置５０１に送信する。そして、フォトブックＩＤとフォトブック管理テーブルが指定情報として使用される。
【００７１】
そして、Ｓ１１０２にて、ＣＰＵ１０１が、Ｓ１１０１で読み出したフォトブック構成テーブルに登録されているファイル識別情報を、ブラウズリストに登録する。その後、Ｓ７０３に処理が進められる。
【００７２】
Ｓ７１１の次に、Ｓ１１０３にて、ＣＰＵ１０１が、解除された近接無線通信により取得されたフォトブックＩＤ（解除ＩＤ）とフォトブック管理テーブル（解除テーブル）を判断する。そして、Ｓ１１０４にて、ＣＰＵ１０１が、解除テーブルに登録されているファイル識別情報を、ブラウズリストから削除する。但し、非解除テーブル（解除されていない近接無線通信により取得されたフォトブック管理テーブル）に登録されているファイル識別情報と同じファイル識別情報が、解除テーブルに登録されていることがある。そのようなファイル識別情報は削除されない。その後、Ｓ７１３に処理が進められる。
【００７３】
上記処理フローによれば、フォトブックに掲載された撮影画像が削除されているか否かに拘らず、フォトブックに掲載された撮影画像のファイル特定情報を含むブラウズリストが得られる。そして、ＣＰＵ１０１は、ブラウズリストのファイル識別情報を用いてＨＤＤ１０２を参照することにより、ブラウズリストのファイル識別情報で識別された撮影画像がＨＤＤ１０２から削除されているか否かを判断することができる。
【００７４】
本実施例に係るフォトブックブラウズモードでは、実施例１と同様に、ブラウズリストのファイル識別情報で識別された撮影画像が選択対象とされる。そして、図１０（Ａ）に示すような一覧表示画像が表示される。但し、本実施例では、一覧表示画像において、選択対象とされた撮影画像が削除されているかを少なくとも示す情報が示される。例えば、選択対象とされた撮影画像が削除されている場合に、当該撮影画像が存在しないことを示すアイコンが表示される。
【００７５】
なお、削除された撮影画像に関する情報を情報処理装置１００が管理し、オールブラウズモードにおいて、選択対象とされた撮影画像が削除されているかを少なくとも示す情報が表示されてもよい。また、撮影画像が選択対象とされているか否かに拘らわらず、撮影画像が削除されているか否かが示されてもよい。
【００７６】
以上述べたように、本実施例によれば、指定情報が取得されているか否かに応じて、選択方法（ブラウズモード）が切り替えられる。それにより、膨大な数の撮影画像の中からユーザが所望の撮影画像を容易に探し出すことが可能となる。さらに、本実施例によれば、選択対象とされた撮影画像が削除されているかを少なくとも示す情報が表示される。それにより、選択対象とされた撮影画像が削除されているかをユーザが容易に把握することができる。
【００７７】
＜その他の実施例＞
本発明は、上述の実施例の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
【符号の説明】
【００７８】
１００：情報処理装置  １０１：ＣＰＵ  １０９：近接無線Ｉ／Ｆ
【図１】
2017073685.tif 000003
【図２】
2017073685.tif 000004
【図３】
2017073685.tif 000005
【図４】
2017073685.tif 000006
【図５】
2017073685.tif 000007
【図６】
2017073685.tif 000008
【図７】
2017073685.tif 000009
【図８】
2017073685.tif 000010
【図９】
2017073685.tif 000011
【図１０】
2017073685.tif 000012
【図１１】
2017073685.tif 000013